(57)【要約】      （修正有）【課題】従来の一般的なスライドファスナーが用いられている既製品に対しても、そのスライドファスナーに簡単に取り付けることができ、異物が巻き込まれることを防止することができるスライドファスナー用取付具を提供する。【解決手段】スライドファスナーのスライダーに取り付けるスライドファスナー用取付具であって、スライダーの下板側と当接可能な当接面１１ａを有するベース１１と、ベースから水平方向に延在して張り出した張出部１３と、張出部から突出する凸部１５と、を備え、凸部は、少なくともスライダーの下板から上板までの高さ以上に突出する。スライダーの下板側に取付具を取り付けると、スライダーの前端よりも張出部が水平に張り出し、スライダーを閉方向にスライドさせるときには、張出部が先行し、異物が押し退けられる。【選択図】図１
0003223488.tif 000002
【実用新案登録請求の範囲】
【請求項１】
スライドファスナーのスライダーに取り付けるスライドファスナー用取付具であって、
前記スライダーの下板側と当接可能な当接面を有するベースと、
前記ベースから水平方向に延在して張り出した張出部と、
前記張出部から突出する凸部と、を備え、
前記凸部は、少なくとも前記スライダーの前記下板から上板までの高さ以上に突出すること
を特徴とするスライドファスナー用取付具。
【請求項２】
前記張出部の長さは、少なくとも前記スライダーの前記下板から上板までの高さ以上に設定されていることを特徴とすることを特徴とする請求項１に記載のスライドファスナー用取付具。
【請求項３】
前記ベースの幅は、前記スライダーの下板の幅以内であることを特徴とする請求項１又は請求項２に記載のスライドファスナー用取付具。
【請求項４】
前記凸部は、前記張出部の一部から立ち上がる湾曲構造体でなることを特徴とする請求項１乃至請求項３のうち、いずれか１に記載のスライドファスナー用取付具。
【請求項５】
前記凸部は、前記張出部の一部から立ち上がる略円柱状でなることを特徴とする請求項１乃至請求項３のうち、いずれか１に記載のスライドファスナー用取付具。
【請求項６】
前記凸部は、前記張出部の一部から立ち上がる折曲構造体でなることを特徴とする請求項１乃至請求項３のうち、いずれか１に記載のスライドファスナー用取付具。
【考案の詳細な説明】
【技術分野】
【０００１】
本考案は、スライドファスナー用取付具に関し、特に、スライドファスナーに取り付けて用いることでスライドファスナー開閉時における異物の巻き込みを防止することができるスライドファスナー用取付具に関する。
【背景技術】
【０００２】
一般的にスライドファスナー（「線ファスナー」とも言う。）は、ファスナーテープに列をなして連続的に設けられた複数のファスナーエレメントを備える一対のファスナーストリンガーと、前記ファスナーストリンガーの前記ファスナーエレメントを互いに噛み合わせて結合させ又は分離させるためのスライダーと、からなる。このようなスライドファスナーは、開閉方法が非常に簡便であることから、衣服の他、バッグなどの袋物、ブーツなどの靴類、寝具等の開口部を開閉する手段として極めて広く用いられている。
【０００３】
このような一般的なスライドファスナーによると、スライダーを移動させてファスナーエレメント同士を噛み合わせて結合させる際に、例えば衣服の布地やバッグ内の収容物などのような異物を巻き込むことがあった。スライドファスナーにおける巻き込み防止については、例えば特許文献１に記載のようなものが提案されている。
【０００４】
特許文献１に記載の発明は、スライダーの下部に分離板を設け（特許文献１の図７参照）、その分離板は反り上がる側面部を有する構成とすることで、エレメントとスライダー開口部との間に生ずる間隙をなくし、裏地の侵入による不用意な噛み合いを防止するというものである。
【先行技術文献】
【特許文献】
【０００５】
【特許文献１】特開２００４−２４７４０号公報
【考案の概要】
【考案が解決しようとする課題】
【０００６】
しかしながら、特許文献１に記載の分離板には、以下のような種々の問題があった。
【０００７】
分離板の反り上がる側面部の高さは、スライダーの開口部の高さよりも低く構成されている（特許文献１の図３参照）。そのため、分離板の反り上がる側面部では、スライダーの開口部への異物の侵入を防ぎきれないという問題がある。
【０００８】
また、分離板とスライダーとの固着について、分離板をスライダーと一体に形成することや、分離板をスライダーに溶接又は溶着することが提案されている。しかしながら、従来の一般的なスライドファスナーが用いられている既製品の最終消費者が、そのスライドファスナーのスライダーを、特許文献１に係る当該分離板が一体形成されたスライダーに交換することや、従来のスライダーに当該分離板を溶接・溶着することは極めて困難である。そのため、従来の一般的なスライドファスナーが用いられている衣服・袋物などの既製品との関係では、裏地などの巻き込み防止が図られないという問題がある。
【０００９】
さらに、特許文献１に係る分離板は、平面視、スライダーに固着された状態においてスライダーの前後方向及び左右方向に大きくはみ出るように、大きく設計される（特許文献１の図６参照）。そうであるとすると、分離板をスライダーに対して接着剤により接着させることが提案されているものの、スライドファスナーの開閉動作において分離板が様々な部分や物と干渉しやすく必要以上に応力を受け、その結果、スライダーから剥がれ易くなるという問題が考えられる。また、特に衣服などファッション性の高い製品に採用されるスライドファスナーの場合は、分離板が目立ちやすくなり見栄えの点で問題が生じる。さらに、平面視、スライダーの前後方向及び左右方向に大きくはみ出る、サイズの大きい分離板を取り付ける必要があるため、特許文献１に係るスライドファスナーは、その大きな分離板を十分収容できる製品にしか適用できない。そのため、適用可能な製品を選ばなければならず適用の自由度が狭いという問題がある。
【００１０】
また、当該分離板とスライダーとの固着手段として、爪、突条部、凹部などを設けて嵌合させることが提案されているが、既製品に用いられている従来の一般的なスライドファスナーにはそのような固着手段は存在しないため、当該分離板を取り付けることができない。そのため、従来の一般的なスライドファスナーが適用されている衣服や袋物などの既製品との関係では、裏地などの巻き込み防止が図られないという問題がある。
【００１１】
本考案は以上の問題点に鑑みてなされたものであり、本考案の目的とするところは、従来の一般的なスライドファスナーが用いられている既製品に対しても、そのスライドファスナーに取り付けることによって、異物が巻き込まれることを防止することができるスライドファスナー用取付具を提供することを目的とする。
【課題を解決するための手段】
【００１２】
上記の目的を達成するために、スライドファスナー用取付具は、スライドファスナーのスライダーに取り付けるスライドファスナー用取付具であって、前記スライダーの下板側と当接可能な当接面を有するベースと、前記ベースから水平方向に延在して張り出した張出部と、前記張出部から突出する凸部と、を備え、前記凸部は、少なくとも前記スライダーの前記下板から上板までの高さ以上に突出することを特徴とする。
【００１３】
また、本考案のスライドファスナー用取付具において、前記張出部の長さは、少なくとも前記スライダーの前記下板から上板までの高さ以上に設定されていることを特徴とすることを特徴とする。
【００１４】
また、本考案のスライドファスナー用取付具において、前記ベースの幅は、前記スライダーの下板の幅以下であることを特徴とする。
【００１５】
また、本考案のスライドファスナー用取付具において、前記凸部は、前記張出部の一部から立ち上がる湾曲構造体でなることを特徴とする。
【００１６】
また、本考案のスライドファスナー用取付具において、前記凸部は、前記張出部の一部から立ち上がる略円柱状でなることを特徴とする。
【００１７】
また、本考案のスライドファスナー用取付具において、前記凸部は、前記張出部の一部から立ち上がる折曲構造体でなることを特徴とする。
【考案の効果】
【００１８】
本考案に係るスライドファスナー用取付具によれば、従来の一般的なスライドファスナーが用いられている既製品に対しても、見栄えを損なうことなく、そのスライドファスナーに簡単に取り付けることができ、異物が巻き込まれることを防止することができる。
【図面の簡単な説明】
【００１９】
【図１】本考案の実施形態に係るスライドファスナー用取付具を模式的に示す図であり、（ａ）は平面図、（ｂ）は側面図、（ｃ）は正面図、（ｄ）は背面図、（ｅ）は底面図である。
【図２】本考案の実施形態に係るスライドファスナー用取付具を模式的に示す斜視図である。
【図３】本考案の実施形態に係るスライドファスナー用取付具を、スライドファスナーのスライダーに取り付けた状態を模式的に示す平面図である。
【図４】本考案の実施形態に係るスライドファスナー用取付具を、スライドファスナーのスライダーに取り付けた状態を模式的に示す側面図である。
【図５】本考案の実施形態に係るスライドファスナー用取付具が取り付けられたスライドファスナーを模式的に示す図である。
【図６】本考案の実施形態に係るスライドファスナー用取付具の第１変形例を模式的に示す図であり、（ａ）は側面図、（ｂ）は正面図、（ｃ）は平面図である。
【図７】本考案の実施形態に係るスライドファスナー用取付具の第２変形例を模式的に示す図であり、（ａ）は側面図、（ｂ）は正面図、（ｃ）は平面図である。
【図８】本考案の実施形態に係るスライドファスナー用取付具の第３変形例を模式的に示す図であり、（ａ）は側面図、（ｂ）は正面図、（ｃ）は平面図である。
【考案を実施するための形態】
【００２０】
図１乃至図５を参照して、本考案の実施形態に係るスライドファスナー用取付具について説明する。図１は、本考案の実施形態に係るスライドファスナー用取付具を模式的に示す図であり、（ａ）は平面図、（ｂ）は側面図、（ｃ）は正面図、（ｄ）は背面図、（ｅ）は底面図、図２は、本考案の実施形態に係るスライドファスナー用取付具を模式的に示す斜視図、図３は、本考案の実施形態に係るスライドファスナー用取付具を、スライドファスナーのスライダーに取り付けた状態を模式的に示す平面図、図４は、本考案の実施形態に係るスライドファスナー用取付具を、スライドファスナーのスライダーに取り付けた状態を模式的に示す側面図、図５は、本考案の実施形態に係るスライドファスナー用取付具が取り付けられたスライドファスナーを模式的に示す図である。なお、図３及び図４においては、第１及び第２ファスナーストリンガーの図示を省略し、また、図５においては、引手の図示を省略している。
【００２１】
本考案に係るスライドファスナー用取付具は、従来の一般的なスライドファスナーが用いられている衣服、袋物、その他の既製品であっても、そのスライドファスナーの交換を行うことなく、両面テープや接着剤などで簡便に取り付けることにより、ファスナー開閉時における異物の巻き込みを防止することができるものである。
【００２２】
図１及び図２に示すように、本考案の実施形態に係るスライドファスナー用取付具１は、スライドファスナー２０（図５参照）のスライダー２１に取り付けるものであり、ベース１１と、張出部１３と、凸部１５と、を有する。
【００２３】
図１に示すように、ベース１１は、略平板状に形成されており、そのベース上面１１ａは、スライダー２１の下板２１ｂ（図４参照）側と当接可能な当接面を有する。
【００２４】
従来の一般的なスライドファスナーのスライダーの下板側は平滑面で構成されていることが多いため、当接面積を広く確保して両面テープや接着剤などによる接着を確実ならしめるため、スライドファスナー用取付具１のベース１１の上面１１ａも平滑面で構成することが好適である。
【００２５】
ベース１１は、図３に示すように、その幅を、スライダー２１の下板２１ｂの幅以下であることが好適である。このように構成することにより、スライダー２１の下板２１ｂとの当接（接着）面積を十分に確保しつつ、スライドファスナー２０の開閉動作においてスライドファスナー用取付具１が様々な部分や物と干渉して受ける応力を最小限に抑えることができ、その結果、スライドファスナー用取付具１がスライダー２１から剥がれてしまうことを防止できる。また、同様の理由により、ベース１１は、図３及び図４に示すように、スライドファスナー用取付具１がスライダー２１に取り付けられた状態において、下板２１ｂの後口２３側の端部よりも外側にはみ出さないように形成されることが望ましい。ベース１１の幅が、スライダー２１の下板２１ｂの幅以下であれば、ベース１１の外形は限定されない。
【００２６】
図１乃至図４に示すように、張出部１３は、ベース１１から連続的に水平方向に延在されて張り出した部位であり、特に、ベース部１１のうち、スライダー２１との当接部以外の部位である。張出部１３は、本実施形態においては、ベース１１と一体的かつ連続的に形成されている例を説明する。
【００２７】
図３に示すように、張出部１３の長さＬは、スライドファスナー用取付具１がスライダー２１に取り付けられた状態において、少なくともスライダー２１の下板２１ｂから上板２１ａまでの高さＨｓ（図４参照）以上に設定されることが好適である。
【００２８】
図１乃至図４に示すように、凸部１５は、張出部１３から突出するものである。特に、凸部１５は、少なくともスライダー２１の下板２１ｂから上板２１ａまでの高さＨｓ（図４参照）以上に、垂直方向に突出することが望ましい。
【００２９】
凸部１５の形状は様々なものを採用し得るが、本実施形態においては、張出部１３の一部から立ち上がる湾曲構造体でなるものを説明する。即ち、図１及び図２に示すように、凸部１５は、張出部１３の先端部分を大きく湾曲させるように加工して、湾曲された自由端部が一周して張出部１３に当接、近接又は結合することにより、略円筒形をなす湾曲構造体となっている。
【００３０】
なお、本実施形態における凸部１５は、湾曲された自由端部が張出部１３に当接又は近接するまで湾曲加工されている例を示したが、湾曲加工されてなる構造体であればその自由端部の位置は限定されない。
【００３１】
上記のようなスライドファスナー用取付具１は、アクリル等の樹脂材料により作製されてもよいし、ステンレス等の弾性率の高い金属材料により作製されてもよく、また、プレス成型後に上記の如く凸部１５を形成する加工をして作製されてもよいし、一体成型により作製されてもよい。
【００３２】
次に、上記のようなスライドファスナー用取付具１を取り付けるスライドファスナー２０について、図３乃至図５に基づいて概説する。なお、スライドファスナー２０は、従来から広く用いられている一般的な周知のスライドファスナーであればよいため、詳細な説明は省略する。
【００３３】
本考案におけるスライドファスナー２０のスライダー２１において、スライダー２１がエレメント２５ｂ、２７ｂを噛み合わせて結合させるようにスライドする向き（図５における矢印Ａ方向）を前方とし、エレメントエレメント２５ｂ、２７ｂを分離させるようにスライドする向き（図５における矢印Ｂ方向）を後方とするものとする。また、スライダー２１の上板２１ａ、下板２１ｂに直交する方向を垂直方向（上下方向）とし、スライダー２１の上板２１ａ、下板２１ｂに平行で、スライダー２１のスライド方向に直交する方向を左右方向とするものとする。
【００３４】
スライドファスナー２０は、ファスナーテープ２５ａ、２７ａに列をなして連続的に設けられた複数のファスナーエレメント２５ｂ、２７ｂを備える一対のファスナーストリンガー（第１ファスナーストリンガー２５、第２ファスナーストリンガー２７）と、ファスナーストリンガー２５、２７のファスナーエレメント２５ｂ、２７ｂを互いに噛み合わせて結合させ又は分離させるためのスライダー２１と、からなる。
【００３５】
スライダー２１は、上板２１ａと、下板２１ｂと、上板２１ａ及び下板２１ｂの前端部同士を連結する連結柱２１ｃと、上板２１ａの上面に設けられた引手保持部２１ｄと、引手保持部２１ｄに回動可能に保持される引手２１ｅと、を有している。上板２１ａの左右側部には、上板２１ａの下方向に向かって上フランジ部２１ａ１が設けられ、下板２１ｂの左右側部には、下板２１ｂの上方向に向かって下フランジ部２１ｂ１が設けられている。
【００３６】
このような構造を有することにより、スライダー２１は、連結柱２１ｃの左右両側に肩口２２、２２が形成され、また、後端に後口２３が形成されており、上板２１ａ及び下板２１ｂの間には、左右の肩口２２、２２と後口２３とを連結するＹ字形のエレメント案内路（不図示）が形成されている。
【００３７】
このようなスライダー２１の一方の肩口２２から第１ファスナーストリンガー２５を、他方の肩口２２から第２ファスナーストリンガー２７を通し、スライダー２１を閉方向Ａ（図５参照）にスライドさせると、ファスナーエレメント２５ｂ、２７ｂが次々に噛み合ってスライドファスナー２０は閉状態となり、反対に、スライダー２１を開方向Ｂ（図５参照）にスライドさせると、噛み合っているファスナーエレメント２５ｂ、２７ｂが次々に分離されてスライドファスナー２０は開状態となる。
【００３８】
このようなスライドファスナー２０のスライダー２１の下板２１ｂの下側に、スライドファスナー用取付具１のベース１１の上面１１ａを当接させて取り付けると、図３及び図４に示すように、スライダー２１の前端よりも前方に向かって、張出部１３が水平に張り出すことになる。これにより、図５に示すように、スライダー２１を閉方向Ａにスライドさせるときには、スライダー２１よりも張出部１３が先行することになるため、スライダー２１の進路上に異物が存在していたとしても張出部１３によって押し退けられ、肩口２２、２２への異物の侵入、巻き込みが防止される。
【００３９】
また、スライドファスナー用取付具１は、凸部１５が、スライダー２１の下板２１ｂから上板２１ａまでの高さＨｓ以上に張出部１３から突出しているため、張出部１３により押し退けられなかった異物があったとしても、凸部１５の存在によって、肩口２２、２２への異物の侵入、巻き込みが防止される。
【００４０】
また、スライドファスナー２０に対するスライドファスナー用取付具１の取付けは、スライダー２１の下板２１ｂの下面と、スライドファスナー用取付具１のベース１１の上面１１ａとを両面テープや接着剤によって貼り付けることにより行う。平滑面同士を貼り付けるため取り付けのための特別な構造が不要であり、スライドファスナー用取付具１は、どのような既製品に用いられているスライドファスナーに対しても取り付けることができる。また、両面テープや接着剤による貼り付けは、スライダーの交換や溶接などとは異なって作業として極めて容易であり、スライドファスナー２０が用いられている既製品の最終消費者であっても簡単に行うことができる。
【００４１】
次に、本考案の本実施形態に係るスライドファスナー用取付具１の変形例について説明する。以下に説明する本実施形態の変形例は、凸部の形状の変形例であり、上記実施形態と同様の構成については同一の符号を付して詳細な説明は省略する。
【００４２】
＜第１変形例＞
本考案の本実施形態に係る第１変形例であるスライドファスナー用取付具５０について、図６を参照して説明する。図６は、本考案の実施形態に係るスライドファスナー用取付具の第１変形例を模式的に示す図であり、（ａ）は側面図、（ｂ）は正面図、（ｃ）は平面図である。
【００４３】
図６に示すように、第１変形例であるスライドファスナー用取付具５０の凸部５５は、張出部１３の一部から立ち上がる略円柱状でなる。即ち、凸部５５は、張出部１３の先端部分から垂直方向に立設された円柱形状をなしている。なお、図６においては、凸部５５の先端部分は半球面形状に形成された例を示したが、先端部分の形状は限定されない。
【００４４】
上記のようなスライドファスナー用取付具５０は、樹脂材料や金属材料により一体成型して作製することが大量生産に適しており好ましい。
【００４５】
＜第２変形例＞
本考案の本実施形態に係る第２変形例であるスライドファスナー用取付具６０について、図７を参照して説明する。図７は、本考案の実施形態に係るスライドファスナー用取付具の第２変形例を模式的に示す図であり、（ａ）は側面図、（ｂ）は正面図、（ｃ）は平面図である。
【００４６】
図７に示すように、第２変形例であるスライドファスナー用取付具６０の凸部６５は、張出部１３の一部から立ち上がる折曲構造体でなるものを説明する。即ち、図７に示すように、凸部６５は、張出部１３の先端部分を２回折り曲げ加工して、折り曲げられた自由端部が張出部１３に当接、近接又は結合することにより、側面視、略三角形をなす折曲構造体となっている。
【００４７】
上記のようなスライドファスナー用取付具６０は、アクリル等の樹脂材料により作製されてもよいし、ステンレス等の弾性率の高い金属材料により作製されてもよく、また、プレス成型後に上記の如く凸部６５を形成する加工をして作製されてもよいし、一体成型により作製されてもよい。
【００４８】
＜第３変形例＞
本考案の本実施形態に係る第３変形例であるスライドファスナー用取付具７０について、図８を参照して説明する。図８は、本考案の実施形態に係るスライドファスナー用取付具の第３変形例を模式的に示す図であり、（ａ）は左側面図、（ｂ）は正面図、（ｃ）は平面図である。
【００４９】
図８に示すように、第３変形例であるスライドファスナー用取付具７０の凸部７５は、張出部１３の一部から立ち上がる折曲構造体でなるものを説明する。即ち、図８に示すように、凸部７５は、張出部１３の先端部分を３回折り曲げ加工して、折り曲げられた自由端部が張出部１３に当接、近接又は結合することにより、側面視、略四角形をなす折曲構造体となっている。
【００５０】
上記のようなスライドファスナー用取付具７０は、アクリル等の樹脂材料により作製されてもよいし、ステンレス等の弾性率の高い金属材料により作製されてもよく、また、プレス成型後に上記の如く凸部７５を形成する加工をして作製されてもよいし、一体成型により作製されてもよい。
【００５１】
第２変形例に係る凸部６５や第３変形例に係る凸部７５のように、凸部を折曲構造体で構成する場合の折曲回数は１回以上であれば特に限定されるものではない。
【００５２】
本考案について上記実施形態を参照しつつ説明したが、本考案は上記実施形態に限定されるものではなく、改良の目的または本考案の思想の範囲内において改良または変更が可能である。
【符号の説明】
【００５３】
１      スライドファスナー用取付具
１１      ベース
１１ａ    ベース上面
１３      張出部
１５      凸部
２０      スライドファスナー
２１      スライダー
２１ａ    上板
２１ａ１  上フランジ部
２１ｂ    下板
２１ｂ１  下フランジ部
２１ｃ    連結柱
２１ｄ    引手保持部
２１ｅ    引手
２２      肩口
２３      後口
２５      第１ファスナーストリンガー
２５ａ    ファスナーテープ
２５ｂ    ファスナーエレメント
２７      第２ファスナーストリンガー
２７ａ    ファスナーテープ
２７ｂ    ファスナーエレメント
５０      スライドファスナー用取付具（第１変形例）
５５      凸部
６０      スライドファスナー用取付具（第２変形例）
６５      凸部
７０      スライドファスナー用取付具（第３変形例）
７５      凸部
Ａ      閉方向
Ｂ      開方向
Ｌ      張出部の長さ
Ｈｓ    スライダーの下板から上板までの高さ
【図１】
0003223488.tif 000003
【図２】
0003223488.tif 000004
【図３】
0003223488.tif 000005
【図４】
0003223488.tif 000006
【図５】
0003223488.tif 000007
【図６】
0003223488.tif 000008
【図７】
0003223488.tif 000009
【図８】
0003223488.tif 000010